(57)【要約】【課題】段ボール箱等の輸送容器に切り花等の花卉類を収納して輸送する際や保管時に、花卉類の根幹部分を挿入して保水養生させるための花卉類用保水袋を提供することを目的とする。【解決手段】花卉類の輸送時において、花卉類の根幹部分を挿入して保水養生させるための花卉類用保水袋１であって、不透液性シート２からなる外面３と、透液性シート４からなる内面５と、外面３と内面５の間に配置された保水体６を有する袋状であって、一端に開口部８が形成されるとともに、開口部８に内側に折り返されたフラップ状の折り返し部９を形成した花卉類用保水袋１を提供する。【選択図】図１
2011016576.tif 000002
【特許請求の範囲】
【請求項１】
花卉類の輸送時において、花卉類の根幹部分を挿入して保水養生させるための花卉類用保水袋であって、
不透液性シートからなる外面と、透液性シートからなる内面と、外面と内面の間に配置された保水体を有する袋状であって、一端に開口部が形成されるとともに、開口部に内側に折り返されたフラップ状の折り返し部を形成したことを特徴とする花卉類用保水袋。
【請求項２】
花卉類の輸送時において、花卉類の根幹部分を挿入して保水養生させるための花卉類用保水袋であって、
矩形状の不透液性シートと透液性シートの間に介在させた保水体とからなり、不透液性シートが外側となるように２つ折りして重なり合った両端部を接合することにより袋状に形成するとともに、開口部に内側に折り返されたフラップ状の折り返し部を形成したことを特徴とする花卉類用保水袋。
【請求項３】
花卉類の輸送時において、花卉類の根幹部分を挿入して保水養生させるための花卉類用保水袋であって、
矩形状の不透液性シートと、該不透液性シートの幅方向の両端領域を除いた全域に重ねて配置された透液性シートと、不透液性シートと透液性シートとの間に介在させた保水体とからなり、保水体を被覆する領域を除いて透液性シートを不透液性シートに接合してシート材を形成し、シート材の長手方向両端部における不透液性シートと透液性シートとを所定幅で透液性シート側に折り返し、更に不透液性シートが外側となるようにシート材を長手方向に２つ折りして重なり合った不透液性シートの両端領域をヒートシールすることにより袋状に形成し、一端にフラップ状の折り返し部を形成した開口部を有することを特徴とする花卉類用保水袋。
【請求項４】
シート材の長手方向両端部における不透液性シートと透液性シートとを保水体の縁部にまで折り返す請求項３に記載の花卉類用保水袋。
【請求項５】
フラップ状の折り返し部が拡開可能な請求項１，２，３又は４に記載の花卉類用保水袋。
【請求項６】
保水体に所定量の水分を吸水させてなる請求項１，２，３，４又は５に記載の花卉類用保水袋。
【請求項７】
フラップ状の折り返し部によって、保水体から漏出した水分の開口部からの漏出を堰き止める請求項６に記載の花卉類用保水袋。
【発明の詳細な説明】
【技術分野】
【０００１】
本発明は、段ボール箱等の輸送容器に切り花等の花卉類を収納して輸送する際や保管時に、花卉類の根幹部分を挿入して保水養生させるための花卉類用保水袋に関する。
【背景技術】
【０００２】
生活環境に潤いを与え、又冠婚葬祭等の社会生活を営むための備品として、花卉類に関する関心は高く、切り花，切り葉，切り枝，球根，鉢物，花き苗，芝，植木等の多種多様な花卉類が栽培され、商品として出荷されている。中でも、その主流は切り花であり、栽培地から遠隔の消費地まで、段ボール箱等の輸送容器に収納された状態で輸送機関を介して出荷されている。切り花には商品価値を高めるために、何より「花持ち」や「鮮度」がよいことが求められており、特に近時は鮮度が何より重視されてきている。そのため、輸送出荷時において最も大切なことは切り花の鮮度を維持し消耗させないために、切り花の根幹部分に適宜に給水を施すことが肝要である。
【０００３】
従来より、産地から消費地まで切り花を給水できる状態で、段ボール箱等の容器に収納して輸送するために種々の手段が提供されており、不透水性樹脂シートの内面に保水性シートを貼着した包装材の保水性シートに適度の水分を含ませた状態で切り花を包装する切り花の包装材が提供されている（特許文献１）。また、不透水性のバックシートと透水性トップシートとの間に、搬送時に予め水分を含有させる保水材を介在させたシート状の花卉の輸送用給水パッドも提供されている（特許文献２）。この花卉の輸送用給水パッドは保水材に給水をした後に、透水性トップシートの上に切り花の根幹部分を載置して折り畳み、粘着テープ等を使用して折り畳んだ状態を保持するようにしている。
【先行技術文献】
【特許文献】
【０００４】
【特許文献１】特開平５−５１０７８号公報
【特許文献２】特開２００７−９９２８５号公報
【発明の概要】
【発明が解決しようとする課題】
【０００５】
上記した特許文献１に示す切り花の包装材や、特許文献２に示す花卉の輸送用給水パッドを切り花の根幹部分に巻き付けて使用することにより、輸送時においても根幹部分に水分を供給することが可能となる。しかしながら、これらは水分を保持させるための保水性シートや保水材に供給する水分の量の調節が難しく、量が少ないと輸送途中に根幹部分への水分の供給が途絶えてしまい鮮度を保つことができない。一方、保持させる水分の量が多すぎる場合はもとより、必要不可欠な水分量を保持させた場合であっても、装着時や段ボール箱への収納作業時に水分が溢れ出してしまい段ボール箱を濡損することがある。段ボール箱が濡損してしまうと、搬送作業等の取り扱いに支障を来すこととなる。
【０００６】
そのため、切り花の種類や輸送時間、季節等々の輸送環境に対応して保持させる水分量を細かく調節する必要があり、作業には一定の経験を必要とする。また、これらの包装材や輸送用給水パッドはフラット状であるため、使用時には切り花の根幹部分を載置して折り畳んだり、巻き付けたりする煩雑な作業が必要である。
【０００７】
花卉業界においては、近年多様な消費者ニーズに対応した商品が求められており、鮮度がより重要視されてきているとともに、少ロット多品目の出荷の要求が多く、これらに対応した迅速で効率的な出荷作業が求められている。
【０００８】
そこで本発明は上記事情に鑑みて、段ボール箱等の輸送容器に切り花等の花卉類を収納して輸送する際に、切り花等の花卉類の根幹部分に簡便に装着することができるとともに、給水する水の量を十分に保持させた場合にも取扱時や輸送時に水分が漏出することがなく、保水養生させることのできる花卉類用保水袋を提供することを目的とする。
【課題を解決するための手段】
【０００９】
本発明は上記目的を達成するために、花卉類の輸送時において、花卉類の根幹部分を挿入して保水養生させるための花卉類用保水袋であって、不透液性シートからなる外面と、透液性シートからなる内面と、外面と内面の間に配置された保水体を有する袋状であって、一端に開口部が形成されるとともに、開口部に内側に折り返されたフラップ状の折り返し部を形成した花卉類用保水袋を基本として提供する。また、矩形状の不透液性シートと透液性シートの間に介在させた保水体とからなり、不透液性シートが外側となるように２つ折りして重なり合った両端部を接合することにより袋状に形成するとともに、開口部に内側に折り返されたフラップ状の折り返し部を形成した構成を提供する。
【００１０】
更に、矩形状の不透液性シートと、該不透液性シートの幅方向の両端領域を除いた全域に重ねて配置された透液性シートと、不透液性シートと透液性シートとの間に介在させた保水体とからなり、保水体を被覆する領域を除いて透液性シートを不透液性シートに接合してシート材を形成し、シート材の長手方向両端部における不透液性シートと透液性シートとを所定幅で透液性シート側に折り返し、更に不透液性シートが外側となるようにシート材を長手方向に２つ折りして重なり合った不透液性シートの両端領域をヒートシールすることにより袋状に形成し、一端にフラップ状の折り返し部を形成した開口部を有する花卉類用保水袋を提供する。
【００１１】
そして、シート材の長手方向両端部における不透液性シートと透液性シートとを保水体の縁部にまで折り返す構成、フラップ状の折り返し部が拡開可能な構成、保水体に所定量の水分を吸水させてなる構成と、フラップ状の折り返し部によって、保水体から漏出した水分の開口部からの漏出を堰き止める構成を提供する。
【発明の効果】
【００１２】
本発明によれば、予め袋状に形成されているため、出荷作業時において根幹部分の挿入が容易であり、効率よく出荷作業を行うことができる。また、開口部にフラップ状の折り返し部が形成されているため、保水体に充分な量の水分を保持させた場合においても、取り扱い時や輸送時に水分が開口部から漏出することがない。そのため、細かな水分量の調節が不要であり、充分な水分量を迅速に供給することができる。
【図面の簡単な説明】
【００１３】
【図１】本発明にかかる花卉類用保水袋の全体斜視図。
【図２】本発明にかかる花卉類用保水袋の中央横断面図。
【図３】本発明にかかる花卉類用保水袋の中央縦断面図。
【図４】図３の拡大図。
【図５】本発明にかかる花卉類用保水袋を展開した状態の平面図。
【図６】本発明にかかる花卉類用保水袋を展開した状態の平面図。
【図７】図５のＡ−Ａ断面図。
【図８】使用状態を示す説明図。
【図９】使用状態を示す説明図。
【図１０】使用状態を示す説明図。
【図１１】使用状態を示す説明図。
【図１２】使用状態を示す説明図。
【発明を実施するための形態】
【００１４】
以下図面に基づいて本発明にかかる花卉類用保水袋の実施形態を説明する。図１は本発明にかかる花卉類用保水袋１の全体斜視図であり、図２はその中央横断面図、図３はその中央縦断面図、図４は図３の拡大図である。花卉類用保水袋１は、段ボール箱等の輸送容器に切り花等の花卉類を収納して輸送する際に、花卉類の根幹部分を挿入して保水養生させるものであり、主として切り花の輸送時に使用するものである。なお、切り花以外の切り葉，切り枝は勿論、球根，鉢物，花き苗，芝，植木等の花卉類であって、輸送時や保管時に保水養生の必要な花卉類にも使用することが可能である。更に、花卉類に限定されることなく、輸送時に保水を必要とする野菜類その他の作物についても使用することが可能である。
【００１５】
花卉類用保水袋１は、不透液性シート２からなる外面３と、透液性シート４からなる内面５と、外面３と内面５の間に配置された保水体６を袋状に形成している。花卉類用保水袋１は、不透液性シート２が外側となるように、保水体６を介在させた不透液性シート２と透液性シート４を一体として２つ折りし、重なり合った幅方向の両端部をヒートシール７等の適宜の手段で接合することにより袋状に形成している。よって、花卉類用保水袋１の端部１ａ，１ａの間に、開口部８が形成されるとともに、端部１ａ，１ａにはそれぞれ内側に折り返されたフラップ状の折り返し部９が形成されている。
【００１６】
不透液性シート２はポリエチレン、ポリプロピレンなどの不透液性素材からなり、保水体６に保持した水分や保水体６から花卉類用保水袋１の内部に供給した水分を外部に漏らさないためのものである。透液性シート４はポリエチレン，ポリプロピレン，ポリエチレンテレフタレート，レーヨン，コットンなどの透液性素材からなり、保水体６を不透液性シート２との間に保持するとともに、保水体６から供給された水分を透過させて花卉類用保水袋１の内部に供給するためのものである。保水体６は粉砕パルプ，セルロース繊維，天然繊維，親水処理された合成繊維からなる親水性繊維，或いは高吸水性樹脂のいずれか又はその組み合わせからなるものであり、一定量の水分を吸収・保持して、経時的変化とともに徐々に花卉類用保水袋１の内部に供給するためのものである。
【００１７】
次に、花卉類用保水袋１の製造手段を説明する。図５は花卉類用保水袋１を展開した状態の平面図であり、図７は図５のＡ−Ａ断面図である。図に示すように、矩形状の不透液性シート２の幅寸法Ｗに対して、両端部Ｗ１，Ｗ１を除いた中央部Ｗ２における長さ寸法Ｌで囲繞された全域（Ｗ２×Ｌ）に透液性シート４を重ねて配置する。よって、不透液性シート２の幅方向Ｗの両端領域、即ち両端部Ｗ１，Ｗ１における長さ寸法Ｌで囲繞された全域（Ｗ１×Ｌ）には透液性シート４は配置されていない。この不透液性シート２と透液性シート４との間に保水体６を介在させて、保水体６を被覆する領域を除いて透液性シート４を不透液性シート２に接着剤１１（図４，図７参照）を使用して接合することによりシート材１０を形成する。
【００１８】
図５に示すように、保水体６は矩形状の透液性シート４の幅寸法Ｗ２の内側となる内部Ｗ３に対して、長さ寸法Ｌの両端部Ｌ１，Ｌ１を除いた中央部Ｌ２で囲繞された領域（Ｗ３×Ｌ２）に配置されている。よって、不透液性シート２の両端部Ｗ１，Ｗ１の長さ寸法Ｌで囲繞された全域（Ｗ１×Ｌ）と、不透液性シート２と透液性シート４の重なり合った中央部Ｗ２における両端部Ｌ１，Ｌ１で囲繞された両端領域（Ｗ２×Ｌ１）には保水体６は配置されていない。なお、保水体６もホットメルト等の接着剤で不透液性シート２上に接着しておくと、保水体６が揺動することを防ぐことができ、花卉類用保水袋１のサイズが大きい場合には有効である。
【００１９】
次に、図６に示すように、シート材１０の長手方向の両端部Ｌ１，Ｌ１における不透液性シート２と透液性シート４とを所定幅で、図示例では保水体６の縁部にまで透液性シート４側に折り返し、折り返し部９を形成する。更に、不透液性シート２が外側となるようにシート材１０を長手方向における中央部で２つ折りして折り返し部９が相互に重なるように重ね併せ、重なり合った不透液性シート２の幅方向の両端領域をヒートシール７で相互に熱溶着させて接合することにより袋状に形成する。よって、花卉類用保水袋１の開口部８には、拡開可能なフラップ状の折り返し部９が形成される。このフラップ状の折り返し部９は、保水体６から漏出した水分が開口部８から漏出することを堰き止める作用を果たすものである。
【００２０】
次に、花卉類用保水袋１の使用方法について、切り花の輸送に使用する場合を例として、図８〜図１２に基づいて説明する。使用に際しては、図８に示すように花卉類用保水袋１の開口部８を開いて、内部に適量の水分１２を給水する。給水された水分１２は、透液性シート４を通過して保水体６に給水されて保持される。次に、図９に示すように、輸送する切り花１３を適量まとめて、根幹部分１３ａを花卉類用保水袋１の開口部８から内部に挿入して収納する。その後、図１０に示すように花卉類用保水袋１を根幹部分１３ａの周囲に巻き付けて開口部８を閉塞し、図１１に示すように粘着テープや輪ゴム等の適宜の締付部材１４で固着する。その後、図１２に示すように、輸送用段ボール箱１５内に収納し、粘着テープ１６等で切り花１３の所定箇所や花卉類用保水袋１を固定して輸送に供するものである。なお、先に花卉類用保水袋１内に切り花１３の根幹部分１３ａを挿入してから、水分１２を給水してもよい。
【００２１】
輸送中において、保水体６に給水・保持された水分１２が経時的変化とともに徐々に保水体６から花卉類用保水袋１の内部に供給されるため、切り花１３の根幹部分１３ａには安定した状態で常に一定の水分１２が供給され、保持されるため、根幹部分１３ａは保水した状態で輸送中も養生することができる。そのため、切り花１３の鮮度を保持することができる。
【００２２】
花卉類用保水袋１には、開口部８にフラップ状の折り返し部９を装備したため、花卉類用保水袋１の端部１ａは２重構造となり、開口部８の開閉動作が容易となる。また、折り返し部９はフラップ状であるため、保水体６に供給された水分の量が多すぎたり、花卉類用保水袋１に圧力が掛かって保水体６から余剰水分が漏出した場合においても、これを堰き止めるストッパとして機能するため、輸送途中や取り扱い時において開口部８から水分が漏出して、段ボール箱１５を濡損したり、損傷することがない。よって、作業者は花卉類用保水袋１に給水する水分１２の量に格別の注意を払うことなく、充分な水分１２を効率よく給水できる。そのため、輸送途中において水分不足を来す恐れがなく、又交通渋滞その他の不測の事態によって輸送時間が長く掛かる場合にも対応することができる。
【実施例１】
【００２３】
不透液性シート２としてポリエチレンフィルムを、透液性シート４としてポリプロピレン系不織布を、保水体６として綿状パルプ及び吸水紙を、接着剤１１として合成ゴム製接着剤を使用し、Ｌ１の寸法（折り返し部９の寸法）を３０ｍｍ，Ｌ２の寸法を３００ｍｍ，Ｗの寸法を２４０ｍｍ，Ｗ２の寸法を１９０ｍｍ，Ｗ３の寸法を１５５ｍｍ，保水体６の重量を９ｇ±５％として花卉類用保水袋１を製作した。よって、袋状に形成された花卉類用保水袋１の高さ寸法は１５０ｍｍとなる。
【実施例２】
【００２４】
Ｌ１の寸法（折り返し部９の寸法）を６０ｍｍとした以外は実施例１と同一の構成として花卉類用保水袋１を製作した。
【実施例３】
【００２５】
Ｌ１の寸法（折り返し部９の寸法）を６５ｍｍ，Ｌ２の寸法を５３０ｍｍ，Ｗの寸法を３６０ｍｍ，Ｗ２の寸法を３０８ｃｍ、Ｗ３の寸法を２８０ｍｍ，保水体６の重量を２０ｇ±５％とした以外は、実施例１と同一の構成として花卉類用保水袋１を製作した。よって、袋状に形成された花卉類用保水袋１の高さ寸法は２６５ｍｍとなる。
【００２６】
［比較例１］
折り返し部９を有しないこと以外は、実施例１と同一構成として花卉類用保水袋を製作した。
【００２７】
折り返し部の有無及びそのサイズ（Ｌ１の寸法）と、保水体６の保水量との関係を調べるために、実施例１，実施例２，比較例１における蒸留水の最大保水量の実験を行った。なお、最大保水量は、実施例１及び実施例２にかかる花卉類用保水袋１と、比較例１にかかる花卉類用保水袋の内部に蒸留水２００ｍｌを給水し、その後１０ｍｌずつ給水し、給水する毎に水平状態に横臥させて漏水の有無を確認し、水が漏れた時点での吸水量によって求めた。その結果を表１に示す。
【００２８】
【表１】
2011016576.tif 000003
【００２９】
表１に示すように、折り返し部９の有無によって、同一重量の保水体６を使用しても最大保水量を異にし、折り返し部９を設けることによって最大保水量が増加することが判る。例えば、実施例１，実施例２は折り返し部を有しない比較例１に比較して最大保水量がそれぞれ１６％，３６％増加している。
【００３０】
次に、切り花としてグロリオサとブルースターを供試し、花卉類用保水袋１の吸水量が出荷後の切り花の新鮮重に及ぼす影響を調べるための実験を行った。切り花１３は、所定量の水を給水した実施例２にかかる花卉類用保水袋１に根幹部分１３ａを収納し、締付部材１４として輪ゴムで固着して、１０℃の温度に保った冷蔵庫内に保管し、一定時間経過後の新鮮重の保持率を、保存開始時点を１００％として測定した。切り花としてグロリオサを使用した結果を表２に、切り花としてブルースターを使用した結果を表３に示す。なお、切り花１３を冷蔵庫の床面に水平に置いた状態を横置とし、垂直に置いた状態を縦置とした。
【００３１】
【表２】
2011016576.tif 000004
【００３２】
【表３】
2011016576.tif 000005
【００３３】
表２，表３に示すように保水体６への吸水量が増加するにつれて、新鮮重の保持率が高くなる傾向があり、鮮度を長時間に亘って保持できることが判る。よって、フラップ状の折り返し部９を設けることにより、保水体６に充分な量の水分を保持させた場合においても、取り扱い時や輸送時に水分が開口部８から漏出することがなく、結果として長時間に亘って鮮度を保持することが可能となる。その結果、切り花等の花卉類の根幹部分１３ａその他を保水養生して、鮮度高く輸送あるいは保管できて、商品価値を高めることが可能である。なお、折り返し部９の寸法は、花卉類用保水袋１の高さ寸法となるＬ２／２の寸法を１５０ｍｍ〜２６５ｍｍの範囲とした場合に、３０ｍｍ〜６５ｍｍとして好ましい結果を得た。
【産業上の利用可能性】
【００３４】
以上詳細に説明したように、本発明によれば、予め袋状に形成されているため、出荷作業時において根幹部分の挿入が容易であり、効率よく出荷作業を行うことができる。また、開口部にフラップ状の折り返し部が形成されているため、保水体に充分な量の水分を保持させた場合においても、取り扱い時や輸送時に水分が開口部から漏出することがない。
即ち、花卉類用保水袋には、開口部にフラップ状の折り返し部を装備したため、花卉類用保水袋の一端は２重構造となり、開口部の開閉動作が容易となり、又折り返し部はフラップ状であるため、保水体に供給された水分の量が多すぎたり、花卉類用保水袋に圧力が掛かって保水体から余剰水分が漏出した場合においても、これを堰き止めるストッパとして機能するため、輸送途中や取り扱い時において開口部から水分が漏出して、輸送用の段ボール箱等の輸送容器を濡損したり、損傷することがない。
【００３５】
そのため、細かな水分量の調節が不要であり、充分な水分量を迅速に供給することができる。よって、輸送中において、保水体に給水・保持された水分が経時的変化とともに徐々に保水体から花卉類用保水袋の内部に供給されるため、切り花等の花卉類の根幹部分には安定した状態で常に一定の水分を供給することができるため、根幹部分は保水した状態で輸送中も養生することができる。そのため、切り花の鮮度を保持することができる。
【符号の説明】
【００３６】
１…花卉類用保水袋
１ａ…端部
２…不透液性シート
３…外面
４…透液性シート
５…内面
６…保水体
７…ヒートシール
８…開口部
９…折り返し部
１０…シート材
１１…接着剤
１２…水分
１３…切り花
１３ａ…根幹部分
１４…締付部材
１５…段ボール箱
１６…粘着テープ
【図１】
2011016576.tif 000006
【図２】
2011016576.tif 000007
【図３】
2011016576.tif 000008
【図４】
2011016576.tif 000009
【図５】
2011016576.tif 000010
【図６】
2011016576.tif 000011
【図７】
2011016576.tif 000012
【図８】
2011016576.tif 000013
【図９】
2011016576.tif 000014
【図１０】
2011016576.tif 000015
【図１１】
2011016576.tif 000016
【図１２】
2011016576.tif 000017